(57)【要約】      （修正有）【課題】カード等の送付に併せて行われる広告をより高い確率で会員の視野に入れ、広告の効果を確実にするカード送付用台紙を提供する。【解決手段】カード送付用台紙１は、縦折り曲げ予定線４により左右に二分したときの左側領域及び右側領域の一方に配置され、カードを分離可能に保持するカード保持部２ａと、左側領域及び右側領域の他方に配置され、広告情報が掲載される広告情報記入部２ｄとを同一面に備えると共に、カード保持部２ａにカードＣが保持されたときに、このカードＣに隠される領域を含む位置に、広告情報記入部２ｄを参照するように促す誘導情報が掲載された誘導情報記入部２ｅを備え、少なくとも縦折り曲げ予定線４を山折りに畳んで封筒に封入して送付される。【選択図】図１
0003198405.tif 000002
【実用新案登録請求の範囲】
【請求項１】
縦折り曲げ予定線により左右に二分したときの左側領域及び右側領域の一方に配置され、カードを分離可能に保持するカード保持部と、
前記左側領域及び右側領域の他方に配置され、広告情報が掲載される広告情報記入部とを同一面に備えると共に、
前記カード保持部にカードが保持されたときに当該カードに隠される領域を含む位置に、前記広告情報記入部を参照するように促す誘導情報が掲載された誘導情報記入部を備え、
少なくとも前記縦折り曲げ予定線を山折りに畳んで封筒に封入されることを特徴とするカード送付用台紙。
【請求項２】
前記誘導情報は、前記誘導情報記入部を基準として前記広告情報記入部の位置を指し示す図形情報を含むことを特徴とする請求項１に記載のカード送付用台紙。
【請求項３】
前記図形情報は、矢印であることを特徴とする請求項２に記載のカード送付用台紙。
【請求項４】
前記誘導情報は、前記広告情報記入部を参照するように促すメッセージ文を含むことを特徴とする請求項１から請求項３のいずれか一項に記載のカード送付用台紙。
【請求項５】
前記カード保持部を複数備え、
前記誘導情報記入部は、前記カード保持部毎に設けられていることを特徴とする請求項１から請求項４のいずれか一項に記載のカード送付用台紙。
【請求項６】
前記誘導情報記入部毎に、異なる誘導情報が掲載されることを特徴とする請求項５に記載のカード送付用台紙。
【請求項７】
前記左側領域及び右側領域のうち前記カード保持部が配置された側の領域をカード側領域としたとき、
前記縦折り曲げ予定線を山折りに畳んだ状態で、前記左側領域及び右側領域のうち非カード側領域の左右方向端部が、前記カード側領域の左右方向端部よりも左右方向外側に突出すると共に、前記カード側領域の上下角部の一方又は両方を切り欠いた角部切り欠きを備えることを特徴とする請求項１から請求項６のいずれか一項に記載のカード送付用台紙。
【請求項８】
前記左側領域及び右側領域のうち前記カード保持部が配置された側の領域をカード側領域としたとき、
前記縦折り曲げ予定線を山折りに畳んだ状態で、前記左側領域及び右側領域のうち非カード側領域の左右方向端部が、前記カード側領域の左右方向端部よりも左右方向外側に突出すると共に、前記カード側領域の左右方向端部にその一部を切り欠いた側部切欠きを備えることを特徴とする請求項１から請求項６のいずれか一項に記載のカード送付用台紙。
【請求項９】
前記左側領域及び右側領域のうち前記カード保持部が配置された側の領域をカード側領域としたとき、
前記縦折り曲げ予定線を山折りに畳んだ状態で、前記カード側領域の左右方向端部が、前記左側領域及び右側領域のうち非カード側領域の左右方向端部よりも左右方向外側に突出すると共に、前記非カード側領域の左右方向端部にその一部を切り欠いた側部切り欠きを備えることを特徴とする請求項１から請求項６のいずれか一項に記載のカード送付用台紙。
【請求項１０】
前記縦折り曲げ予定線を山折りに畳んだ状態で、前記非カード側領域の左右方向端部の全部が、前記カード側領域の左右方向端部よりも左右方向外側に突出すると共に、前記カード側領域の下側角部を切り欠いた角部切り欠きを備えることを特徴とする請求項７に記載のカード送付用台紙。
【請求項１１】
前記縦折り曲げ予定線を山折りに畳んだ状態で、前記非カード側領域の左右方向端部の全部が、前記カード側領域の左右方向端部よりも左右方向外側に突出すると共に、前記カード側領域の左右方向端部のうち、横折り曲げ予定線により区切られた前記カード保持部が配置された領域の左右方向端部の一部又は全部を切り欠いた側部切り欠きを備えることを特徴とする請求項８に記載のカード送付用台紙。
【請求項１２】
前記縦折り曲げ予定線を山折りに畳んだ状態で、前記カード側領域の左右方向端部の全部が、前記非カード側領域の左右方向端部よりも左右方向外側に突出すると共に、前記非カード側領域の左右方向端部のうち、横折り曲げ予定線により区切られた前記カード保持部が備えられている領域の左右方向端部の全部を切り欠いた側部切り欠きを備えることを特徴とする請求項９に記載のカード送付用台紙。
【請求項１３】
前記縦折り曲げ予定線を山折りに畳んだ状態で、さらに前記縦折り曲げ予定線と直交する２本の横折り曲げ予定線を境にして三つ折りに畳んだ表に送付先印刷領域が配置されることを特徴とする請求項１から請求項１２のいずれか一項に記載のカード送付用台紙。
【請求項１４】
前記２本の横折り曲げ予定線により区切られた上段領域、中段領域及び下段領域の３つの領域のうち、前記中段領域に前記カード保持部が配置されることを特徴とする請求項１３に記載のカード送付用台紙。
【考案の詳細な説明】
【技術分野】
【０００１】
本考案は、カード等を送付するためのカード送付用台紙に関する。
【背景技術】
【０００２】
従来、クレジットカード郵送時に送付される郵便物は、カード利用者（以下、「会員」と言う。）により確実に開封されることとなるため、広告効果が特に大きいと考えられ、このときにも金融商品の広告を行っている。
しかしながら、カード郵送時にただ別紙の広告を同封する方法であっては、会員は、カードが保持された台紙からカードを取り外すという行為のみを行い、広告については確認されずに廃棄されてしまうという問題がある。
【０００３】
そこで、会員は台紙からカードを取り外すという行為については確実に行うことから、台紙において広告を行うことで広告効果を高めることができると考えられ、かかる発明として、特許文献１に記載された「カード送付用台紙」に係る発明がある。
特許文献１に記載されたカード送付用台紙は、台紙を左右に二分したときの左側領域及び右側領域の一方にカード保持部と、メッセージ記入部と、必要事項記入部とを備え、左側領域及び右側領域の他方に広告記入部を備えている。そして、かかるカード送付用台紙は、左側領域及び右側領域の縦区分線を境にして裏面側が内側となるように折り曲げられ、その折り曲げられた状態で、さらに縦区分線と交差する横区分線を境にして折り畳まれ送付先印刷領域が表面とされて封筒に封緘される。
かかる構成により、特許文献１に記載されたカード送付用台紙によれば、会員がカードを取り外すという動作を行う際に、カード送付用台紙に印刷されている広告がその動作を行っている者の視野に入る可能性が高いため、広告効果をより高めることが可能となる。
【先行技術文献】
【特許文献】
【０００４】
【特許文献１】国際公開第２００３／０９５２２３号パンフレット
【考案の概要】
【考案が解決しようとする課題】
【０００５】
特許文献１に記載されたカード送付用台紙によれば、上述のような効果が得られるが、本願出願人は、さらに、特許文献１に記載されたカード送付用台紙を改良することにより、会員がカードを取り外す際における、横区分線の折りを解除してカードを露出させた状態から、縦区分線の折を解除してカード保持部と広告記入部とが同一面に並ぶ状態への展開を、より確実に行わせることにより、広告をより高い確率で会員の視野に入れ、広告効果をさらに高めることが可能となる技術を開発した。
【０００６】
本考案の目的は、会員によるカード送付用台紙の展開を誘導することによって、カード等の送付に併せて行われる広告の効果を高めることである。
【課題を解決するための手段】
【０００７】
本願考案の一態様によれば、縦折り曲げ予定線により左右に二分したときの左側領域及び右側領域の一方に配置され、カードを分離可能に保持するカード保持部と、左側領域及び右側領域の他方に配置され、広告情報が掲載される広告情報記入部とを同一面に備えると共に、カード保持部にカードが保持されたときにこのカードに隠される領域を含む位置に、広告情報記入部を参照するように促す誘導情報が掲載された誘導情報記入部を備え、少なくとも縦折り曲げ予定線を山折りに畳んで封筒に封入される、カード送付用台紙が提供される。
【考案の効果】
【０００８】
本願考案によれば、会員がカードをカード保持部から取り外したときに、カードに隠されていた誘導情報が会員の視野に入るため、会員が広告情報の存在に気づいているが興味を持たないときや、広告情報の存在そのものに気づいていない場合に、広告情報を見るように仕向けることができる。すなわち、会員が広告情報を見る確率を向上させることができる。
【図面の簡単な説明】
【０００９】
【図１】本考案の第一の実施形態における広告付台紙の一例を示す平面図である。
【図２】図１の一部の拡大図である。
【図３】本考案の第二の実施形態における広告付台紙の一例を示す平面図である。
【図４】本考案の第三の実施形態における広告付台紙の一例を示す平面図である。
【図５】本考案の第四の実施形態における広告付台紙の一例を示す平面図である。
【図６】広告付台紙１１ａの変形例を示す図である。
【図７】広告付台紙１ａの変形例を示す図である。
【図８】広告付台紙１１ａの別の変形例を示す平面図である。
【図９】広告付台紙１を折り畳んだ状態の実施例を示す図である。
【図１０】広告付台紙１の実施例を示す平面図である。
【考案を実施するための形態】
【００１０】
以下の詳細な説明では、本考案の実施形態の完全な理解を提供するように多くの特定の細部について記載される。しかしながら、かかる特定の細部がなくても１つ以上の実施形態が実施できることは明らかである。他にも、図面を簡潔するために、周知の構造及び装置が略図で示されている。
以下、図を参照して本考案に係るカード等を送付するためのカード送付用台紙（以下、広告付台紙と言う。）の一実施形態を詳細に説明する。
【００１１】
まず、本考案の第一の実施形態を説明する。
図１は、本考案の第一の実施形態における広告付台紙１の構成を示す平面図である。
広告付台紙１は、図１に示すように、広告付台紙１における左右方向の中心部から上下方向に延びる縦折り曲げ予定線４により区分けされた、左頁（左側領域）３ａと右頁（右側領域）３ｂとから構成される。また、左頁３ａ及び右頁３ｂは、縦折り曲げ予定線４と直交する２本の横折り曲げ予定線６ａ及び６ｂにより、上段、中段及び下段に区分けされる。横折り曲げ予定線６ａ及び６ｂは、均等に上段、中段及び下段に区分けする位置に配置されてもよく、均等に区分けする位置に配置されていなくともよく、例えば、上下方向の長さが中段と下段とは同一であり、上段は他の段よりも短くなるように、配置してもよい。
【００１２】
広告付台紙１は、例えば期限の更新等のために新しく送付されるカードを保持するカード保持部２ａと、カードの送付先或いはクレジットカード会社等から会員に対する挨拶等のメッセージを記入するためのメッセージ記入部２ｂと、カードの利用規約等、必要事項が記入される必要事項記入部２ｃと、金融商品の広告が記入される広告情報記入部２ｄと、広告情報記入部２ｄの記載内容を参照するよう仕向ける誘導情報が記入される誘導情報記入部２ｅと、を含んで構成される。また、各記入部においては、各種情報は横書きで記載される。
【００１３】
広告付台紙１において、カード保持部２ａ、メッセージ記入部２ｂ及び必要事項記入部２ｃは、左頁３ａに配置され、広告情報記入部２ｄは、右頁３ｂに配置される。
また、左頁３ａにおいて、メッセージ記入部２ｂは上段に、カード保持部２ａは中段に、必要事項記入部２ｃは下段にそれぞれ配置されている。さらに、誘導情報記入部２ｅは、カード保持部２ａにカードＣが保持された状態でカードと重なる領域を少なくとも含む位置に配置される。
【００１４】
誘導情報記入部２ｅに記入される誘導情報は、広告情報記入部２ｄに記載された広告を読むように仕向ける情報であって、例えば、図２（ａ）に示すように、誘導情報記入部２ｅを基準とする広告情報記入部２ｄの位置を指し示す矢印と、矢印を表す輪郭内に記載される、カードの所有者の氏名を明記した「特許  太郎  様へ  特別なご案内です。右側をご確認ください。」等のメッセージ文と、二次元コードと、「二次元コードでも内容をご確認いただけます。」等のメッセージ文と、等が含まれる。
【００１５】
二次元コードには、例えば、広告情報記入部２ｄに記載された広告内容、或いは広告内容に関するＵＲＬ等が含まれる。
なお、誘導情報はこれに限るものではなく、広告情報記入部２ｄを参照するように促すメッセージであればよく、また、誘導情報の表示色や背景色を目立つ色にしたり、文字形態或いは修飾形態等、興味をそそる表示形態で表示したりするようにしてもよい。
【００１６】
広告付台紙１は、郵送時には以下のように折り畳まれる。
広告付台紙１ａにおいて、初めに、図１（ｂ）に示すように、左頁３ａと右頁３ｂの縦折り曲げ予定線４において、広告付台紙１の表面（カード保持部２ａにより保持されたカードが表れる面）が表出するように２つに折り畳まれる。つまり山折りに畳まれる。
次いで、左頁３ａ及び右頁３ｂの上段、中段及び下段の境界につけられた横折り曲げ予定線６ａ、６ｂにおいて、図１（ｃ）に示すように、さらに３つに広告付台紙１ａが折り畳まれる。このとき、横折り曲げ予定線６ａは山折りに、横折り曲げ予定線６ｂは谷折りとされる。
【００１７】
このように折り畳むことにより、折り畳まれた状態でメッセージ記入部２ｂが表面に現れ、カード保持部２ａは３つ折りの内側に折り込まれることとなる。
広告付台紙１を受領した会員は、カードを取り外すために、まず、横折り曲げ予定線６ａ、６ｂを境として３つに折り畳まれた図１（ｃ）の状態から、横折り曲げ予定線６ａ及び６ｂにおける折りを解除し、縦折り曲げ予定線４を境として２つに折り畳まれた図１（ｂ）の状態に展開してカードを露出させる。
【００１８】
カードＣがカード保持部２ａに保持されている状態では、誘導情報はカードＣに隠されている。
そして、会員がカード保持部２ａからカードＣを取り外すと、図２（ａ）に示すように、カードＣに隠されていた誘導情報が、会員の視野に入る。隠されていた誘導情報が現れたことから会員は興味をそそられ、誘導情報の内容を読む可能性がある。誘導情報は、広告情報記入部２ｄを参照するように仕向けるための情報であるため、会員は、広告情報記入部２ｄを読もうという気になり、また、誘導情報がカードＣの下に隠されていたという点からも、会員は、広告情報記入部２ｄに特別な情報が記載されているのではないかと期待を持ち、誘導情報が記載されていない場合に比較して、広告情報記入部２ｄを参照する可能性が高くなる。
【００１９】
また、メッセージ文だけでなく、メッセージ文を矢印で囲むことにより、広告情報記入部２ｄの在り処を指し示すようにしているため、会員は広告情報記入部２ｄの在り処を探す必要はなく、容易に認識することができ、探す手間がかからない分、会員に対し、より一層広告情報記入部２ｄを参照するように仕向けることができる。
なお、図２（ａ）では、１枚のカードを送付する場合について説明しているが、図２（ｂ）に示すように、広告付台紙１に例えば夫婦それぞれ専用のカードを２枚並べて送信する場合等には、各カードを個別に保持するためのカード保持部２ａ−１、２ａ−２を設け、このカード保持部２ａ−１、２ａ−２のそれぞれに誘導情報記入部２ｅ−１、２ｅ−２を設ける。そして、誘導情報記入部２ｅ−１、２ｅ−２それぞれに、誘導情報を記入すればよい。さらに、３枚或いは４枚のカードを送付する場合には、必要事項記入部２ｃが形成領域に、カード保持部２ａ及び誘導情報記入部２ｅを設ければよい。
【００２０】
このように、複数のカードを送付する場合、例えば、図２（ｂ）に示すように、２枚のカードを送付する場合には、例えば、誘導情報記入部２ｅ−１、２ｅ−２それぞれに同じ誘導情報を記載してもよく、異なる誘導情報を記載してもよく、また、いずれか一方にのみ誘導情報を記載するようにしてもよい。誘導情報記入部毎に、異なる誘導情報を記載する場合には、例えば夫向けの誘導情報としては、夫が関心を持ちそうな広告が記載されている旨のメッセージを記入し、妻向けの誘導情報としては、妻が関心を持ちそうな広告が記載されている旨のメッセージを記入する等、二段構えで広告情報記入部２ｄを参照するよう促す誘導メッセージを記入することで、会員に対して、さらに広告情報記入部２ｄの記載内容に対する期待感を向上させるようにしてもよい。
【００２１】
また、図２（ａ）、（ｂ）では、誘導情報記入部２ｅ、２ｅ−１、２ｅ−２は、カード保持部２ａ、２ａ−１、２ａ−２にカードＣが保持されたときには、カードＣにより誘導情報が隠されるようになっているが、これに限るものではない。例えば、カード保持部２ａ、２ａ−１、２ａ−２にカードＣが保持されたときに、カードＣの縁に誘導情報の一部がはみ出るように記載してもよく、このようにすることによって、カードＣの下に何か特別な情報が隠されているという期待感を持たせることで、より確実に会員が誘導情報を読むように仕向けることができ、すなわち、会員が広告情報記入部２ｄを参照するように仕向けることができる。
【００２２】
なお、上記第一の実施形態では、カードＣの対角線上の一対の角に対応する、一対の切れ目をカード保持部２ａとしているが、カード保持部２ａはこれに限るものではなく、例えば、カードを接着保持する両面テープ、或いは、カードを挿入可能なケース、等を、カード保持部２ａとして広告付台紙１に設けてもよい。このように、両面テープで接着、或いはケース等をカード保持部２ａとして用いる場合は、両面テープやケースを透明にする等、会員がカードＣを広告付台紙１から取り外した時点で誘導情報が会員の視野に入るようにすればよい。或いは、例えば図２（ａ）において、矢印の中にのみメッセージを表示し、矢印の下の部分には誘導情報は記載せずに、ここに接着テープを貼るようにしてもよい。
【００２３】
また、上述のように、広告情報記入部２ｄは、カード保持部２ａが設けられた広告付台紙１に設けられているため、別紙に広告が記載されている場合等に比較してより高い確率で、広告情報を、カードを取り外そうとする会員の視野に入れることができる。
また、カードの利用規約等、必要事項が記入される必要事項記入部２ｃと、広告情報記入部２ｄとを同一面に設けているため、カードと関連する情報を読もうとする会員に対して、高い確率で広告情報を確認させることができる。
【００２４】
また、カード保持部２ａ及び必要事項記入部２ｃと、広告情報記入部２ｄとが、左右に並んで配置され、且つ各種情報を横書きで記載しているため、必要事項記入部２ｃの文章を読む会員の目線を自然に広告情報記入部２ｄの広告情報に移させることができる。
次に、本考案の第二の実施形態を説明する。
図３（ａ）は、本考案の第二の実施形態における広告付台紙１ａの構成を示す平面図である。図３（ｂ）及び（ｃ）は、広告付台紙１ａを折り畳む態様を示す図である。
【００２５】
第二の実施形態における広告付台紙１ａの基本的構成は、第一の実施形態における広告付台紙１と同様であるため、同一部には同一符号を付与し、その詳細な説明は省略する。
本考案の第二の実施形態における広告付台紙１ａは、図３（ａ）に示すように、広告付台紙１ａにおける左右方向の略中心部から上下方向に延びる縦折り曲げ予定線４により区分けされた、左頁（左側領域）３ａと右頁（右側領域）３ｂとから構成される。また、左頁３ａ及び右頁３ｂは、縦折り曲げ予定線４と直交する２本の横折り曲げ予定線６ａ及び６ｂにより、上段、中段及び下段に区分けされる。
【００２６】
左頁３ａは、下側角部周辺が半径７ｍｍの１／４円形状に切断されることにより形成された角部切り欠き５を備えている。この場合において、角部切り欠き５の半径は、指をかけることができ、また視覚的に注意を引くことができる大きさに適宜設定することが可能であるが、５ｍｍ以上１５ｍｍ以下の間で設定することが好ましく、また、その形状は、三角形状又は四角形状等適宜変更することができる。さらに、角部切り欠き５は、左頁３ａの上側角部のみ又は上下角部の両方に備えても構わない。
【００２７】
右頁３ｂは、左右方向の長さが、左頁３ａの左右方向の長さaに対してα（本実施形態においては３ｍｍ）だけ長く構成されている。ここで、αの値は、視覚的に又は指で触ることにより右頁３ｂの存在を気付かせ、また、広告付台紙１ａの展開の際の指がかりとするために必要な大きさに適宜設定することが可能であるが、２ｍｍ以上１０ｍｍ以下の間で設定することが好ましい。
【００２８】
そして、広告付台紙１ａは、カード保持部２ａと、メッセージ記入部２ｂと、必要事項記入部２ｃと、広告情報記入部２ｄと、誘導情報記入部２ｅと、を含んで構成される。
広告付台紙１ａにおいて、カード保持部２ａ、メッセージ記入部２ｂ、必要事項記入部２ｃ及び誘導情報記入部２ｅは、左頁３ａに配置され、広告情報記入部２ｄは、右頁３ｂに配置される。
【００２９】
そして、広告付台紙１ａは、郵送時には、第一の実施形態と同様に、初めに縦折り曲げ予定線４において、広告付台紙１の表面（カード保持部２ａにより保持されたカードが表れる面）が表出するように２つに折り畳まれ、次いで、横折り曲げ予定線６ａ、６ｂにおいて、さらに３つに広告付台紙１ａが折り畳まれ、折り畳まれた状態でメッセージ記入部２ｂが表面に現れ、カード保持部２ａは３つ折りの内側に折り込まれることとなる。
【００３０】
そして、広告付台紙１ａを受領した会員は、カードＣを取り外すために、まず、横折り曲げ予定線６ａ及び６ｂにおける折りを解除し、縦折り曲げ予定線４を境として２つに折り畳まれた図３（ｂ）の状態に展開してカードＣを露出させる。かかるカードＣを露出した状態において、会員はカードＣを右手で取り外すべく左手で広告付台紙１ａの左右方向の端辺側を把持することとなる。この場合において、右頁３ｂはその左右方向の長さが左頁３ａの左右方向の長さaに対してαだけ長く構成されているため、右頁３ｂの端辺が、左頁３ａの左右方向の端辺から長さαだけ外側に突出した状態となっている。また、左頁３ａは、下側角部が切断されることにより形成された角部切り欠き５を備えているため、右頁３ｂの下側角部周辺が、左頁３ａの角部切り欠き５から露出することとなる。
【００３１】
そして、広告付台紙１ａを受領した会員は、カード保持部２ａからカードＣを取り外そうとするときに、左頁３ａの左右方向の端辺から突出した右頁３ｂの端辺及び角部切り欠き５を、目視することにより又は指で触れることにより確認し、その結果、会員は左頁３ａの下側に折り畳まれている右頁３ｂの存在に気付くこととなる。そして、このとき右頁３ｂはまだ左頁３ａの下側に折り畳まれている状態であるため、会員は右頁３ｂに掲載されている情報の内容が広告であることについては知得していない。よって、カード保持部２ａと同一面の必要事項記入部２ｃに記載された情報を確認した会員に対して、右頁３ｂに掲載された情報の内容に対する興味を強く喚起することができる。この場合において、右頁３ｂの端辺又は角部切り欠き５に指を掛けることにより左頁３ａと右頁３ｂの折り畳みを容易に解除することができるため、さらに強く右頁３ｂの展開を誘導することが可能となる。
【００３２】
そして、会員は、広告付台紙１ａを、縦折り曲げ予定線４を境として２つに折り畳まれた図３（ｂ）の状態から、カード保持部２ａと広告情報記入部２ｄとが同一面に表示される図３（ａ）の状態に展開して情報の内容を確認することにより、右頁３ｂに記入された情報の内容が金融商品の広告であることを初めて知ることとなる。これにより、より高い確率で広告情報を会員の視野に入れさせることが可能となり、広告の効果をより高めることが可能となる。
【００３３】
また、カードＣの下には、誘導情報記入部２ｅに誘導情報が記入されており、会員がカードＣを、カード保持部２ａから取り外すと、誘導情報が会員の視野に入る。
したがって、会員が、２つに折り畳まれた状態で、右頁３ｂが左頁３ａよりも長いこと或いは、左頁３ａに角部切り欠き５が形成されていることをもってしても、カード保持部２ａと広告情報記入部２ｄとが同一面に表示される図３（ａ）の状態に展開しなかった場合でも、カードＣを、広告付台紙１ａから取り外した時点で、会員の視野に誘導情報が入るため、会員に対し、再度広告情報記入部２ｄを参照するように促すことができる。つまり、広告情報記入部２ｄを参照するように、２段階で仕向けることができ、会員が広告情報記入部２ｄを参照するようにより仕向けることができる。
【００３４】
また、カードＣを広告付台紙１ａから取り外し、誘導情報を参照することにより、広告情報記入部２ｄを参照しようと、縦折り曲げ予定線４の折れを解除する場合には、右頁３ｂが左頁３ａよりも長く、また、角部切り欠き５が設けられていることから、これらを手がかりとすることによって、縦折り曲げ予定線４の折れを容易に解除することができる。したがって、例えば右頁３ｂと左頁３ａとが同じ大きさであってぴったり重なっている場合には、縦折り曲げ予定線４の折れを解除しにくい可能性があり、会員が広告情報記入部２ｄを参照することを諦めてしまうことも考えられるが、上述のように、角部切り欠き５を設けたり、右頁３ｂを左頁３ａよりも長くしたりすることにより、縦折り曲げ予定線４の折れを容易に解除することができ、効果的である。
【００３５】
次に、本考案の第三の実施形態を説明する。
図４は、本考案の第三の実施形態における広告付台紙１０の構成を示す平面図である。
広告付台紙１０の基本的構成は、広告付台紙１ａと同様であるため、同一の構成については説明を省略する。
広告付台紙１０は、図４に示すように、広告付台紙１ａにおける角部切り欠き５の代わりに、左頁３ａの横折り曲げ予定線６ａと横折り曲げ予定線６ｂとの間の中段領域部の左右方向端辺が、半径７ｍｍの半円形状に切断されることにより形成された側部切り欠き７を備えている。この場合において、側部切り欠き７の半径は、指がかけられ又は視覚的に注意を引くことができる大きさに適宜設定することが可能であるが、５ｍｍ以上１５ｍｍ以下の間で設定することが好ましく、また、その形状は、三角形状又は四角形状等適宜変更することができる。さらに、本実施形態においては、側部切り欠き７は、左頁３ａの中段領域部に備えられているが、左頁３ａの上端領域部又は下段領域部に備えてもよい。
【００３６】
そして、広告付台紙１０は、広告付台紙１ａと同様に折り畳まれ、また、会員により展開されることとなる。この場合において、広告付台紙１０は、左頁３ａの中段に側部切り欠き７を備えているため、横折り曲げ予定線６ａ、６ｂを境として３つに折り畳まれた状態から、横折り曲げ予定線６ａ及び６ｂにおける折りを解除し、縦折り曲げ予定線４を境として２つに折り畳まれた状態に展開して、カード保持部２ａを露出した状態において、カード保持部２ａと同一面且つ同一領域に側部切り欠き７が備えられていることとなる。
【００３７】
これにより、会員がカードＣを取り外す際において、カード保持部２ａの真横に設けられた側部切り欠き７が視覚に入ることによって、より高い確率で左頁３ａの下側に折り畳まれている右頁３ｂの存在を気付かせることができると共に、右頁３ｂに掲載されている情報の内容に対する興味を喚起することができ、さらに、側部切り欠き７に指を掛けることにより左頁３ａと右頁３ｂの折り畳みを容易に解除することが可能となる。
【００３８】
また、会員がカードＣを取り外した際には、カードＣに隠されていた誘導情報が会員の視野に入るため、この時点でも、会員に、右頁３ｂの存在を気づかせると共に、広告情報記入部２ｄを参照するように仕向けることができる。
次に、本考案の第四の実施形態を説明する。
図５（ａ）は、本考案の第四の実施形態における広告付台紙１１ａの構成を示す平面図である。図５（ｂ）及び（ｃ）は、広告付台紙１１ａを折り畳む態様を示す図である。図６は、広告付台紙１１ａの変形例を示す図である。
【００３９】
広告付台紙１１ａの基本的構成は、広告付台紙１ａと同様であるため、同一の構成については同一の符号を付して説明を省略する。
広告付台紙１１ａの左頁３ａは、図５（ａ）に示すように、左右方向の長さが、右頁３ｂの左右方向の長さaに対してα（本実施形態においては３ｍｍ）だけ長く構成されている。ここで、αの値は、指で触ることにより右頁３ｂの存在を気付かせ、また、広告付台紙１１ａの展開の際の指がかりとするために必要な大きさに適宜設定することが可能であるが、２ｍｍ以上１０ｍｍ以下の間で設定することが好ましい。
【００４０】
また、広告付台紙１１ａは、右頁３ｂの横折り曲げ予定線６ａと横折り曲げ予定線６ｂとの間の中段領域部の左右方向端辺全体が、左右方向に３０ｍｍ切断されることにより形成された側部切り欠き１２を備えている。この場合において、側部切り欠き１２の左右方向の長さは、適宜設定することが可能であるが、１５ｍｍ以上４０ｍｍ以下の間で設定することが好ましい。
【００４１】
そして、広告付台紙１１ａは、図５（ｂ）及び（ｃ）に示すように、上記第二の実施形態における広告付台紙１ａと同様に折り畳まれる。
そして、広告付台紙１１ａを受領した会員は、カードを取り外すために、横折り曲げ予定線６ａ、６ｂを境として３つに折り畳まれた図５（ｃ）の状態から、横折り曲げ予定線６ａ及び６ｂにおける折りを解除し、縦折り曲げ予定線４を境として２つに折り畳まれた図５（ｂ）の状態に展開してカードを露出させる。この状態において、会員はカードを右手で取り外すべく左手で広告付台紙１１ａの左右方向の端辺側のカード保持部２ａの横を把持することとなる。この場合において、広告付台紙１１ａは、右頁３ｂの中段に側部切り欠き１２を備えているため、右頁３ｂについては把持されることなく、会員は左頁３ａのみを把持する状態となる。したがって、会員がカード保持部２ａからカードを取り外そうとして、左手でカード保持部２ａの横を把持すると、右頁３ｂに重力が作用することにより縦折り曲げ予定線４における折り畳みが解除され、右頁３ｂが半分程度展開された状態となる。
【００４２】
これにより、会員がカードを取り外す際において、より高い確率で左頁３ａの下側に折り畳まれている右頁３ｂの存在を気付かせることができると共に、右頁３ｂに掲載されている情報の内容に対する興味を喚起することが可能となる。
また、会員による広告付台紙１１ａを把持する位置が側部切り欠き１２からずれた場合においても、広告付台紙１１ａの左頁３ａは、左右方向の長さが、右頁３ｂの左右方向の長さaに対してαだけ長く構成されているため、会員に対して広告付台紙１１ａを把持する際の指の感覚により右頁３ｂの存在を気付かせることができる。
【００４３】
なお、側部切り欠き１２は、図６に示すように、広告付台紙１１ａにおいて上段部、中段部及び下段部の全てに備える構成としてもよい。
そして、この場合も、会員がカードＣを取り外した際には、カードＣに隠されていた誘導情報が会員の視野に入るため、この時点でも、会員に、右頁３ｂの存在を気づかせると共に、広告情報記入部２ｄを参照するように仕向けることができる。
【００４４】
以上、本考案の実施形態及び変形例について説明してきたが、本考案はこれに限定されず、種々の変更、改良を行うことができる。
例えば、本考案に係る広告付台紙は、上記第一、第二、第三及び第四の実施形態並びに変形例において、広告付台紙１、１ａ、１０及び１１ａの左頁（左側領域）３ａ及び、右頁（右側領域）３ｂに配置された各構成要素を逆の領域に配置して構成することも可能である。
【００４５】
図７（ａ）は、上記第二の実施形態における広告付台紙１ａの変形例である広告付台紙１ｂの構成を示す平面図である。図７（ｂ）は、広告付台紙１ｂを折り畳む態様を示す図である。
本変形例に係る広告付台紙１ｂにおいては、図７（ａ）に示すように、広告付台紙１ａにおける、カード保持部２ａ、メッセージ記入部２ｂ及び必要事項記入部２ｃを右頁３ｂに、広告情報記入部２ｄを、左頁３ａに配置すると共に、角部切り欠き５を右頁３ｂの上下角部の一方又は両方に備えることにより構成している。そして、広告付台紙１ｂは、広告付台紙１ａと同様に折り畳まれる。
【００４６】
図８（ａ）は、上記第四の実施形態における広告付台紙１１ａの別の変形例である広告付台紙１１ｂの構成を示す平面図である。図８（ｂ）は、広告付台紙１１ｂを折り畳む態様を示す図である。
本実変形例に係る広告付台紙１１ｂにおいては、図８（ａ）に示すように、広告付台紙１１ａにおける、カード保持部２ａ、メッセージ記入部２ｂ及び必要事項記入部２ｃを右頁３ｂに、広告情報記入部２ｄを、左頁３ａに配置すると共に、側部切り欠き１２を左頁３ａの横折り曲げ予定線６ａと横折り曲げ予定線６ｂとの間の中段領域部の左右方向端辺全体に形成することにより構成している。そして、広告付台紙１１ｂは、広告付台紙１１ａと同様に折り畳まれる。
【００４７】
さらに、広告付台紙１ｂ又は１１ｂを、左利きの会員に対してカードを送付する際に使用し、広告付台紙１ａ又は１１ａを、右利きの会員に対してカードを送付する際に使用する、という具合に、カードを送付する会員の利き腕に応じて使用する台紙を使い分けてもよい。
その場合、カード会社は、事前に行った会員に対するアンケート等による情報に基づいて、右利きの会員に対しては広告付台紙１ａ又は１１ａを、左利きの会員に対しては広告付台紙１ｂ又は１１ｂを送付する、ということになる。
【００４８】
広告付台紙１ｂを受領した会員は、広告付台紙１ｂを広告付台紙１ａの場合と同様に展開するが、図７（ｂ）のカードが露出するように展開した状態において、左利きの会員は、左手でカードを取り外すべく右手で広告付台紙１ｂの左右方向の端辺側を把持する。そして、この状態においては、左頁３ａの端辺が右頁３ｂの左右方向の端辺から長さαだけ外側に突出していると共に、左頁３ａの下側角部周辺が、右頁３ｂの角部切り欠き５から露出することとなる。よって、広告付台紙１ｂを受領した場合についても広告付台紙１ａを受領した場合と同様に、右頁３ｂの左右方向の端辺から突出した左頁３ａの端辺及び角部切り欠き５により、左頁３ａの展開を誘導することが可能となる。
【００４９】
また、広告付台紙１１ｂを受領した会員は、広告付台紙１１ｂを広告付台紙１１ａの場合と同様に展開するが、左利きの会員が、左手でカードを取り外すべく右手で広告付台紙１１ｂの左右方向の端辺側のカード保持部２ａの横を把持した状態において、側部切り欠き１２が形成されていることにより、左頁３ａが半分程度展開された状態となるため、左頁３ａの展開を誘導することが可能となる。
【００５０】
以上から、右利きの会員に好適な右利き用カード送付用台紙と、左利きの会員に好適な左利き用カード送付用台紙とを用意する一方で、会員の利き腕に関する情報を保存しておき、カードを送付する会員の利き腕に応じて、そのカードの送付に使用するカード送付用台紙を、右利き用カード送付用台紙及び左利き用カード送付用台紙から選択し、その選択された台紙を使用してその会員にカードを送付するというカードの送付装置が提供される。この場合、右利き用カード送付用台紙としては、請求項１又は請求項２に記載の考案においてカード保持部を左側領域に設けたものが適用可能であり、左利き用カード送付用台紙としては、請求項１又は請求項２に記載の考案においてカード保持部を右側領域に設けたものが適用可能である。
【００５１】
以上、特定の実施形態を参照して本考案を説明したが、これら説明によって本考案を限定するものではない。本考案の説明を参照することにより、当業者には、開示された実施形態の種々の変形例と共に本考案の別の実施形態も明らかである。従って、実用新案登録請求の範囲は、本実用新案登録請求の範囲及び要旨に含まれるこれらの変形例又は実施形態も網羅すると解すべきである。
【実施例】
【００５２】
次に、本考案の一実施例について図面を参照して説明する。
図９は、第一の実施形態における広告付台紙１を適用した広告付台紙２１の一例を示す図であって、広告付台紙２１を図示しない封筒に封入するときの状態を表す斜視図である。図１０は、広告付台紙２１を広げた状態を示す表面図（図１０（ａ））及び裏面図（図１０（ｂ））である。
【００５３】
広告付台紙２１は、長辺が１７インチ（４３１．８ｍｍ）、短辺が１１インチ（２７９．４ｍｍ）の、いわゆる、ＡＮＳＩ規格のレジャーサイズ用紙である。
図９に示すように、縦折り曲げ予定線４で二つ折りにした後、横折り曲げ予定線６ａ、６ｂで均等に３つに折り畳むことによって、定形郵便物としては最大のサイズとなるいわゆる長３封筒（１２０ｍｍ×２３５ｍｍ）に収納することができる。
【００５４】
なお、図９、図１０中の１０１はピック穴であって、折り畳んだ広告付台紙２１を封筒に機械封入する際に、ピック穴を通して吸引し引き寄せることで、スムーズな封入を可能としている。
縦折り曲げ予定線４は、広告付台紙２１の長辺の中央、すなわち、端部から８．５インチ（２１５．９ｍｍ）の位置に配置した。また、横折り曲げ予定線６ａは、短辺の一方の端部から１１／３インチ（９３．１３ｍｍ）の位置に配置し、横折り曲げ予定線６ｂは、短辺の他方の端部から１１／３インチ（９３．１３ｍｍ）の位置に配置した。
【００５５】
また、カードＣの貼り位置は、左頁３ａの、横折り曲げ予定線６ａから横折り曲げ予定線６ｂの方向に２５ｍｍずれた位置であり、且つ、縦折り曲げ予定線４から左頁３ａの端部方向に１３ｍｍずれた位置とした。
カードＣは、両面テープ１０２で広告付台紙２１に添付するようにした。両面テープ１０２は、１７ｍｍ×３８ｍｍの長方形とし、両面テープ１０２の長辺と横折り曲げ予定線６ａ、６ｂとが平行となり、両面テープ１０２の短辺と縦折り曲げ予定線４とが平行となるように配置し、誘導情報としての矢印に重ならないように、矢印の下側に配置した。
【００５６】
そして、カードＣの長辺と横折り曲げ予定線６ａとが平行となり、カードＣの短辺と縦折り曲げ予定線４とが平行となり、カードＣの長手方向の短部と縦折り曲げ予定線４との間隔が１３ｍｍ、カードＣの短手方向の短部と横折り曲げ予定線６ａとの間隔が２５ｍｍとなるように、カードＣを配置した。
【符号の説明】
【００５７】
１、１ａ、１ｂ    広告付台紙
２ａ、２ａ−１、２ａ−２  カード保持部
２ｂ    メッセージ記入部
２ｃ    必要事項記入部
２ｄ    広告情報記入部
２ｅ、２ｅ−１、２ｅ−２  誘導情報記入部
３ａ    左頁
３ｂ    右頁
４      縦折り曲げ予定線
５      角部切り欠き
６ａ    横折り曲げ予定線
６ｂ    横折り曲げ予定線
７      側部切り欠き
１０    広告付台紙
１１ａ  広告付台紙
１１ｂ  広告付台紙
１２    側部切り欠き
２１    広告付台紙
【図１】
0003198405.tif 000003
【図２】
0003198405.tif 000004
【図３】
0003198405.tif 000005
【図４】
0003198405.tif 000006
【図５】
0003198405.tif 000007
【図６】
0003198405.tif 000008
【図７】
0003198405.tif 000009
【図８】
0003198405.tif 000010
【図９】
0003198405.tif 000011
【図１０】
0003198405.tif 000012